(57)【要約】 【課題】非使用時に、イヤホンに接続するコード部分の絡みを防止でき、また、塵埃の付着を防止でき、さらには、耐久性を高める上で有利なイヤホンを提供する。【解決手段】弾性変形部２２は、基部２０の先端に接続され、耳介の凹部から外耳道に挿入される部分に密着した状態で挿入されるように、基部２０の半径方向外方を湾曲面状に延在する第１の形状Ａと、また、第１の形状Ａから反転させ、基部２０の先端から基部２０の延長上で湾曲面状に延在し第１の形状Ａをなす他方のイヤホン１２の弾性変形部２２の上に被さる第２の形状Ｂをとるように形成されている。弾性変形部２２に補強肉部２４が設けられ、補強肉部２４は、弾性変形部２２が第１の形状Ａにされた際には該第１の形状Ａを維持し、第２の形状Ｂにされた際には該第２の形状Ｂを維持し、弾性変形部２２が、第１の形状Ａと第２の形状Ｂの中間の形状を取りにくいようにしたものである。【選択図】図３
2006148186.tif 000002
【特許請求の範囲】
【請求項１】
スピーカユニットが収容されたケースと、前記ケースに連結された弾性および柔軟性ならびに可撓性を有する耳介装着部材とを備えた左右一対のイヤホンであって、
前記耳介装着部材は、前記ケースに連結された筒状の基部と、前記基部の先端に接続し耳介の凹部から外耳道に挿入される部分に密着した状態で挿入されるように前記基部の半径方向外方を湾曲面状に延在する弾性変形部とを備え、
前記左右一対のイヤホンのうちの少なくとも一方のイヤホンの前記弾性変形部は、耳介の凹部から外耳道に挿入される部分に密着した状態で挿入されるように前記基部の半径方向外方を湾曲面状に延在する第１の形状と、前記第１の形状から反転し前記基部の先端から前記基部の延長上で湾曲面状に延在し前記第１の形状をなす他方のイヤホンの前記弾性変形部の上に被さる第２の形状をなすように形成され、
前記弾性変形部には、前記第１の形状にされた際には該第１の形状を維持し、前記第２の形状にされた際には該第２の形状を維持する補強肉部が形成されている、
ことを特徴とするイヤホン。
【請求項２】
前記補強肉部は、前記弾性変形部の先端外周に沿って連続的に厚肉に形成された膨出部で構成されていることを特徴とする請求項１記載のイヤホン。
【請求項３】
前記弾性変形部は、前記基部から離れるにしたがって次第に肉厚に形成されており、前記弾性変形部は前記補強肉部を兼ねていることを特徴とする請求項１記載のイヤホン。
【発明の詳細な説明】
【技術分野】
【０００１】
本発明は、耳介に装着して用いられるイヤホンに関する。
【背景技術】
【０００２】
耳介に装着して用いられるイヤホンとして、耳介の凹部から外耳道に挿入される部分に、弾性および柔軟性ならびに可撓性を有する部材で形成された耳介装着部材を取り付けたものが用いられている（例えば、特許文献１）。
このような耳介装着部材を用いたイヤホンは、耳介装着部材を耳介の凹部から外耳道に挿入して装着できるので、耳介に確実に装着できる利点を有している。
また、耳介装着部材は、耳介の凹部から外耳道の形状に合わせて容易に弾性変形できるので、良好な装着感が得られるという利点も有している。
【特許文献１】特開２０００−３４１７８４
【発明の開示】
【発明が解決しようとする課題】
【０００３】
一方、イヤホンは左右一対設けられており、非使用時にそのままバックなどに投げ入れて収容されるため、各イヤホンに接続するコード部分が絡み、使用時に、左右一対のイヤホンを切り離すのに手間を要するという不具合があった。
また、非使用時にそのままバックなどに投げ入れて収容されるため、各イヤホンの耳介装着部材にバック内の塵埃などが付着し易く、使用時に、指でそれらを取り除く手間を要するという不具合があった。
耳介装着部材は、多くの場合、スピーカユニットが収容されたケースに連結された筒状の基部と、基部の先端に接続し耳の孔に密着した状態で挿入されるように前記基部の半径方向外方を湾曲面状に延在する弾性変形部とを備えており、弾性変形部の表面に付着した塵埃は指で取り除くことができるが、筒状の基部の内面に付着した塵埃は取り除きにくく、このように塵埃が付着したままのイヤホンを装着するには不快感が生じる。
また、弾性変形部は長期使用により破断、欠損しやすく、耐久性の点で改良の余地があった。
本発明は前記事情に鑑み案出されたものであって、本発明の目的は、非使用時に、イヤホンに接続するコード部分の絡みを防止でき、また、塵埃の付着を防止でき、さらには、耐久性を高める上で有利なイヤホンを提供することにある。
【課題を解決するための手段】
【０００４】
前記目的を達成するため本発明は、スピーカユニットが収容されたケースと、前記ケースに連結された弾性および柔軟性ならびに可撓性を有する耳介装着部材とを備えた左右一対のイヤホンであって、前記耳介装着部材は、前記ケースに連結された筒状の基部と、前記基部の先端に接続し耳介の凹部から外耳道に挿入される部分に密着した状態で挿入されるように前記基部の半径方向外方を湾曲面状に延在する弾性変形部とを備えている。前記左右一対のイヤホンのうちの少なくとも一方のイヤホンの前記弾性変形部は、耳介の凹部から外耳道に挿入される部分に密着した状態で挿入されるように前記基部の半径方向外方を湾曲面状に延在する第１の形状と、前記第１の形状から反転し前記基部の先端から前記基部の延長上で湾曲面状に延在し前記第１の形状をなす他方のイヤホンの前記弾性変形部の上に被さる第２の形状をなすように形成されている。前記弾性変形部には、前記第１の形状にされた際には該第１の形状を維持し、前記第２の形状にされた際には該第２の形状を維持する補強肉部が形成されている。
【発明の効果】
【０００５】
本発明のイヤホンによれば、弾性変形部を第１の形状とすることで通常のイヤホンと同様に、弾性変形部を耳介の凹部から外耳道に挿入して装着でき、耳介に確実に装着でき、また、弾性変形部は、耳介の凹部から外耳道の形状に合わせて容易に弾性変形できるので、良好な装着感が得られる。
また、非使用時には、一方のイヤホンの弾性変形部を第２の形状として他方のイヤホンの第１の形状をなす弾性変形部の上に被せることができ、例えば、バックなどに投げ入れて収容しても、各イヤホンに接続するコード部分が絡むという不具合は発生しない。
また、第２の形状では、使用時に耳介に装着され耳介に接触する弾性変形部の使用面は内側を向いた面となっており、一方のイヤホンの弾性変形部を他方のイヤホンの弾性変形部の上に被せることで、被せられた他方のイヤホンの弾性変形部の使用面は一方の弾性変形部の使用面で覆われ、したがって、双方のイヤホンの弾性変形部の使用面を互いに塵埃などの付着から保護することができる。
また、被せられた弾性変形部の結合状態では、双方のイヤホンの弾性変形部の基部は互いに向かい合った状態となり、それら向かい合った境の箇所は、第２の形状となった弾性変形部により覆われるので、非使用時に、基部の内面への塵埃の付着を防止できる。
また、弾性変形部に補強肉部が形成されているので、補強肉部により長期使用による破断や欠損を防止でき、耳介装着部材の耐久性を高める上でも有利となる。
【発明を実施するための最良の形態】
【０００６】
本発明は、イヤホンの弾性変形部を、耳介の凹部から外耳道に挿入される部分に密着した状態で挿入されるように前記基部の半径方向外方を湾曲面状に延在する第１の形状と、前記第１の形状から反転し前記基部の先端から前記基部の延長上で湾曲面状に延在し前記第１の形状をなす他方のイヤホンの前記弾性変形部の上に被さる第２の形状をなすように形成し、弾性変形部に、前記第１の形状にされた際には該第１の形状を維持し、前記第２の形状にされた際には該第２の形状を維持する補強肉部を設けることで上記の目的を達成した。
【実施例１】
【０００７】
以下、実施例１のイヤホンから説明する。
図１は実施例１のイヤホンの一部断面側面図を示す。
左右一対のイヤホン１２は、スピーカユニットが収容されたケース１４と、ケース１４に連結された弾性および柔軟性ならびに可撓性を有する耳介装着部材１６とを備えている。
ケース１４は、スピーカユニットを保護するため硬質の合成樹脂から構成されている。
ケース１４からは、スピーカユニットに接続された外部接続コード１４０２が引き出され、各ケース１４から引き出された各外部接続コード１４０２は、所定の長さ延在して１本のコードとして束ねられている。
【０００８】
耳介装着部材１６は、弾性および柔軟性ならびに可撓性を有する材料で形成されている。このような材料として、従来公知の様々な材料が使用可能であり、例えば、シリコンゴムやウレタン系のエラストマーなどが挙げられる。
耳介装着部材１６は、ケース１４の取り付け部１４０４に着脱可能に取着された基部２０と、基部２０の先端に接続する弾性変形部２２とを備えている。
基部２０は均一の肉厚で筒状を呈しており、基部２０の長手方向の一端である基端が取り付け部１４０４に着脱可能に取着されている。基端が取り付け部１４０４に着脱可能に取着される構成は、例えば、基端に外径の小さい小径部を設け、この小径部を取り付け部の溝に嵌合させるなど、従来公知の様々な構造が採用可能である。
【０００９】
弾性変形部２２は、基部２０の長手方向の他端である先端に接続され、耳介の凹部から外耳道に挿入される部分に密着した状態で挿入されるように、基部２０の半径方向外方を湾曲面状に延在する第１の形状Ａと、また、図２、図３に示すように、第１の形状Ａから反転させ、基部２０の先端から基部２０の延長上で湾曲面状に延在し第１の形状Ａをなす他方のイヤホン１２の弾性変形部２２の上に被さる第２の形状Ｂをとるように形成されている。
より詳細に説明すると、第１の形状Ａでは、弾性変形部２２は均一の厚さで形成されており、基部２０の先端に接続する弾性変形部２２の基端から、基部２０の中心軸を中心とした半径が基部２０の外周面から離れるように次第に大きくなりつつ延在し、かつ、基部２０の基端の半径方向の延長上付近からその半径が次第に小さくなりつつ延在し、弾性変形部２２の延在方向の先端は、取り付け部１４０４の半径方向の外側箇所に位置し、取り付け部１４０４を覆うように形成されている。
また、第２の形状Ｂでは、弾性変形部２２は、基部２０の先端に接続する弾性変形部２２の基端から、基部２０の前方において基部２０の中心軸の中心とした半径が基部２０の外周面よりも次第に大きくなりつつ延在し、かつ、延在方向の中間部からその半径が次第に小さくなりつつ延在し、弾性変形部２２の延在方向の先端は、基部２０および取り付け部１４０４よりも大きい寸法の半径で環状に延在するように形成されている。
そして、第２の形状Ｂとなった弾性変形部２２を、図２、図３に示すように、その先端を第１の形状Ａをなす弾性変形部２２に押し付けることで、第１の形状Ａをなす他方のイヤホン１２の弾性変形部２２の上に被さるように形成されている。あるいは、弾性変形部２２が第１の形状Ａをなすイヤホン１２どうしをそれらの基部２０の先端を突き合わせ、何れか一方のイヤホン１２の弾性変形部２２を反転させて第２の形状Ｂにすることで、第１の形状Ａをなす他方のイヤホン１２の弾性変形部２２の上に被さるように形成されている。
【００１０】
弾性変形部２２の先端は、基部２０の外径よりも大きい内径の環状を呈しており、本実施例では、この弾性変形部２２の先端の環状を呈する部分の全周が、先端外周に沿って連続的に厚肉に形成された膨出部で形成され、この膨出部により補強肉部２４が形成されている。補強肉部２４はその断面が、弾性変形部２２の肉厚よりも大きい寸法の直径の円形で形成されている。
補強肉部２４は、弾性変形部２２が第１の形状Ａにされた際には該第１の形状Ａを維持し、第２の形状Ｂにされた際には該第２の形状Ｂを維持するものであり、弾性変形部２２が、第１の形状Ａと第２の形状Ｂの中間の形状を取りにくいようにしたものである。
【００１１】
第１実施例のイヤホン１２によれば、弾性変形部２２を第１の形状Ａとすることで通常のイヤホン１２と同様に、弾性変形部２２を耳介の凹部から外耳道に挿入して装着でき、耳介に確実に装着でき、また、弾性変形部２２は、耳介の凹部から外耳道の形状に合わせて容易に弾性変形できるので、良好な装着感が得られる。
また、非使用時には、一方のイヤホン１２の弾性変形部２２を第２の形状Ｂとして他方のイヤホン１２の第１の形状Ａをなす弾性変形部２２の上に被せることができ、このように一方のイヤホン１２の弾性変形部２２を他方のイヤホン１２の弾性変形部２２の上に被せることで、例えば、バックなどに投げ入れて収容されたとしても、各イヤホン１２に接続するコード部分が絡むという不具合は発生せず、したがって、使用時に、左右一対のイヤホン１２を切り離すのに手間を要するという不具合を解消することができる。
また、第２の形状Ｂでは、使用時に耳介に装着され耳介に接触する弾性変形部２２の使用面は内側を向いた面となっており、一方のイヤホン１２の弾性変形部２２を他方のイヤホン１２の弾性変形部２２の上に被せることで、被せられた他方のイヤホン１２の弾性変形部２２の使用面は一方の弾性変形部２２の使用面で覆われ、したがって、双方のイヤホン１２の弾性変形部２２の使用面を互いに塵埃などの付着から保護することができ、使用時に、指でそれらを取り除く手間を要するという不具合を解消できる。
また、一方の弾性変形部２２が他方の弾性変形部２２に被された結合状態では、双方のイヤホン１２の弾性変形部２２の基部２０は互いに向かい合った状態となり、それら向かい合った境の箇所は、第２の形状Ｂとなった弾性変形部２２により覆われるので、非使用時に、基部２０の内面への塵埃の付着を防止でき、基部２０に塵埃が付着したままのイヤホン１２を装着するといった不快感を解消することができる。
また、弾性変形部２２の先端に厚肉の補強肉部２４が形成されているので、補強肉部２４により長期使用による破断や欠損を防止でき、耳介装着部材１６の耐久性を高める上でも有利となる。
【００１２】
次に、実施例２について説明する。
図４は実施例２のイヤホンの一部断面側面図を示す。
実施例２では弾性変形部３２、補強肉部３４の構成が実施例１と異なっており、他の構成は実施例１と同様であるため実施例１と同様な箇所、部材に同一の符号を付してその説明を省略する。
耳介装着部材１６は、前記ケース１４の取り付け部に着脱可能に取着された基部２０と、前記基部２０の先端に接続する弾性変形部３２とを備えている。
弾性変形部３２は、実施例１と異なり、基部２０の先端に接続するの基端から先端に至るにつれて次第に肉厚が大きくなるように形成されている。
そして、実施例１と同様に、弾性変形部３２は、耳介の凹部から外耳道に挿入される部分に密着した状態で挿入されるように、基部２０の半径方向外方を湾曲面状に延在する第１の形状Ａと、また、図２、図３に示すように、第１の形状Ａから反転させ、基部２０の先端から前記基部の延長上で湾曲面状に延在し第１の形状Ａをなす他方のイヤホン１２の弾性変形部３２の上に被さる第２の形状Ｂをとるように形成されている。
実施例２では、弾性変形部３２が前記第１の形状Ａにされた際には該第１の形状Ａを維持し、第２の形状Ｂにされた際には該第２の形状Ｂを維持する補強肉部３４が弾性変形部３２で構成され、弾性変形部３２が補強肉部３４を兼ねている。
このような実施例２によっても実施例１と同様な作用効果が奏される。
【００１３】
なお、弾性変形部２２、３２が第１の形状Ａにされた際には該第１の形状Ａを維持し、第２の形状Ｂにされた際には該第２の形状Ｂを維持する補強肉部２４、３４の構造は種々考えられ、補強肉部２４、３４の構造は実施例１、実施例２の構造に限定されない。
また、実施例１、２では左右一対のイヤホン１２を同一の形状で構成し、一方のイヤホン１２の弾性変形部２２を他方のイヤホン１２の弾性変形部２２に被せることができるとともに、他方のイヤホン１２の弾性変形部２２を一方のイヤホン１２の弾性変形部２２に被せることができる場合について説明したが、左右のイヤホン１２の弾性変形部２２の大きさを予め異ならせ、一方のイヤホン１２の弾性変形部２２を他方のイヤホン１２の弾性変形部２２に被せることができるようにのみ形成するようにしてもよい。
【図面の簡単な説明】
【００１４】
【図１】実施例１のイヤホンの一部断面側面図を示す。
【図２】第１の形状となった弾性変形部と第２の形状となった弾性変形部の説明図である。
【図３】一方のイヤホンの弾性変形部を第２の形状として他方のイヤホンの第１の形状をなす弾性変形部の上に被せた説明図である。
【図４】実施例２のイヤホンの一部断面側面図を示す。
【図５】第１の形状となった弾性変形部と第２の形状となった弾性変形部の説明図である。
【図６】一方のイヤホンの弾性変形部を第２の形状として他方のイヤホンの第１の形状をなす弾性変形部の上に被せた説明図である。
【符号の説明】
【００１５】
１２……イヤホン、１６……耳介装着部材、２０……基部、２２，３２……弾性変形部、２４、３４……補強肉部。
【図１】
2006148186.tif 000003
【図２】
2006148186.tif 000004
【図３】
2006148186.tif 000005
【図４】
2006148186.tif 000006
【図５】
2006148186.tif 000007
【図６】
2006148186.tif 000008